(57)【要約】      （修正有）【課題】外れ止め装置の機能を損なうことなく、リングの摩耗防止対策を施した連結フックを提供する。【解決手段】連結フック１のキャップ１２の端面を折り曲げる、あるいは摩耗防止金具を付設することにより、キャップ１２のリング２との接触面である係合部を大きくして、リング２の局部摩耗を防止する。リング２および連結フック１のキャップ１２が、同程度に摩耗することにより、両者の使用限度が同程度となる。製作上では、従来と同等の材質を使用して、形状の変更を最小限に抑えることにより、低コストで摩耗防止対策を施すことが可能となる。【選択図】図２
0003150775.tif 000002
【実用新案登録請求の範囲】
【請求項１】
鉤部１１と、係止対象物であるリング２よりの外れ止め装置であるキャップ１２とから成る連結フックであって、
前記キャップ１２にリング２との接触面である係合部を大きくした構造を備えたことを特徴とする摩耗防止機能付き連結フック。
【請求項２】
上記キャップ１２の端面を折り曲げて、係合部を大きくすることを特徴とする請求項１に記載の摩耗防止機能付き連結フック。
【請求項３】
上記キャップ１２の端面に摩耗防止金具１６を添設して、係合部を大きくすることを特徴とする請求項１に記載の摩耗防止機能付き連結フック。
【考案の詳細な説明】
【技術分野】
【０００１】
本考案は、電柱上等の高所作業において使用する安全帯に用いる連結フックに関する。
【背景技術】
【０００２】
電柱上等の電気工事において作業者は、柱上安全帯を装着し、両側腰部に位置するリングの一方（角環）に、ロープを掴持する伸縮調節器の連結フックを係止して、長さを調節したロープで構築物を抱き込み、ロープ先端のフックを他方のリング（Ｄ環）に係止して、構築物との間にＵ字状の体勢保持を行い、両手を自由として作業を行うものである。この両手を自由とする体勢で、作業者は自分の体重をロープに預ける必要があり、ロープおよびリングには繰り返し荷重が加わることとなる。頻度としては、一日に数百回になることもある。
【０００３】
前記ロープは繊維製であり、電柱との接触により摩耗し易いため取り替えをして使用している。一方、前記リング（角環およびＤ環）は金属製であり、ロープに比して摩耗は少ないが、連結フックまたはロープ先端のフックとの接触により摩耗する。このリングの摩耗が非常に大きくなった場合、万が一墜落した場合の落下衝撃荷重に耐えられないことが考えられる。
ここで、作業者が柱上安全帯を装着して工事を行う際に、ロープ先端のフックのＤ環への係止は頻繁に行う必要があるため、Ｄ環は半円状の丸断面とし、ロープ先端のフックが係止し易いようになっている。一方角環については、伸縮調節器の連結フックの係止は頻繁に行うものではなく、図５あるいは図６にその係止状態を示すように、連結フックの上下移動をある程度規制することにより４節回動リンク機構で成る伸縮調節器の操作性を高める目的で、その係止辺の上下部には三角形状の連結フック移動規制片を設けており、略方形状であるため、一般的に角環と呼ぶものである。
【０００４】
前記Ｄ環とロープ先端のフックとの接触による摩耗に関しては、ロープ先端のフックのＤ環接触部をなだらかな丸状とすることと、Ｄ環が半円の形状であることによる集中荷重の回避により、使用上問題となるような摩耗は防止できる。しかしながら、前記連結フックは板材を折り曲げて鉤部を形成し、角環のフック接触部は直線の形状で面接触し、作業時に上下方向には回動しにくいようになっている。従って、角環と連結フックは常に同じ部分で接触することとなる。
ここで図５に示すように、角環と連結フックとの接触による摩耗は、主として角環の内面に生じるが、角環内面の摩耗は連結フックの角環接触部にアールを取り、丸みを持たせることで防止できる。しかしながら使用方法によっては、摩耗が角環の外面に生じることがある。具体的には、角環と、連結フックの外れ止め装置であるキャップの端面が、常に同じ部分で接触して摩耗する。
【０００５】
従来の連結フックとしては、実公昭５７−１９４６０号のものがある。
これは、安全帯のロープを押圧爪により押圧して把持し長さを調節する伸縮調節器と角環を連結する連結フックに関するものである。この連結フックは、角環内面の摩耗防止対策は施されているが、角環外面の摩耗防止対策は施されていない。
【先行技術文献】
【特許文献】
【０００６】
【特許文献１】実公昭５７−１９４６０号公報
【考案の概要】
【考案が解決しようとする課題】
【０００７】
上記従来の連結フックにおいて、外れ止め装置であるキャップの端面の板厚が薄く、かつ常に同じ部分で接触するため、角環の同一箇所に集中して局部摩耗が生じる。解決方法として、角環の硬度を高くして摩耗を防止する方法もあるが、この方法では、逆にキャップの端面が摩耗してしまい、外れ止め装置の機能を果たさない恐れがある。
【０００８】
そこで本考案は、外れ止め装置の機能を損なうことなく、リングの摩耗防止対策を施した連結フックを提供することを目的としている。
【課題を解決するための手段】
【０００９】
上記課題を解決するため、本考案は、外れ止め装置であるキャップの端面を折り曲げる、あるいは摩耗防止金具を添設して、角環との接触面である係合部を大きくした構造のものである。
【考案の効果】
【００１０】
角環の局部摩耗が防止でき、角環および連結フックのキャップが、同程度に摩耗することにより、両者の使用限度が同程度となり、角環および連結フックのキャップの思わぬ摩耗による危険が回避できる。
また製作上では、従来と同等の材質を使用して、形状の変更を最小限に抑えることにより、低コストで摩耗防止対策を施すことが可能となる。
【図面の簡単な説明】
【００１１】
【図１】本考案実施例１における、摩耗防止機能付き連結フック１の正面図および側面図である。
【図２】摩耗防止機能付き連結フック１の、リング２への係止状態を説明する正面図である。
【図３】本考案実施例２における、摩耗防止機能付き連結フック１の正面図および側面図である。
【図４】柱上安全帯３の構成を説明する正面図である。
【図５】従来の連結フック４の、リング２への係止状態を説明する正面図である。
【図６】作業待機時における、柱上安全帯３の装着状態を説明する正面図である。
【考案を実施するための形態】
【００１２】
以下、図面を参照しつつ本考案に係るリングの摩耗防止機能付き連結フック１の実施例について説明する。
【実施例１】
【００１３】
以下、本考案の実施例１について説明する。図１(ａ)および図１(ｂ)は、本考案の実施例１に係る摩耗防止機能付き連結フック１の構成を説明する正面図および側面図である。この摩耗防止機能付き連結フック１は、板材を鉤状に折り曲げた鉤部１１に、常に鉤口を閉鎖する方向に付勢するバネ１３を有するキャップ１２、１２を軸止１４している。また、
キャップ１２の一方は、リング２の外面部２１との接触部分である上部端面に折り曲げ部１５を有している。
【００１４】
図２は、摩耗防止機能付き連結フック１の、リング２への係止状態を説明する正面図である。この摩耗防止機能付き連結フック１は、安全帯のロープを掴持して長さを調節する伸縮調節器３１に軸止３１１しており、鉤部１１をリング２に係止して使用される。
【００１５】
図５は、一般に使用される連結フック４とリング２の、接触部分を説明する正面図である。以下図５を参照しつつ、図２の摩耗防止機能付き連結フック１のリング２への係止状態について説明する。図２および図５において、連結フック１および連結フック４はリング２の外面接触部２１Ｕ、２１Ｄ、および内面接触部２２Ｕ、２２Ｄで接触する。ここで、伸縮調節器３１に軸止３１１した連結フック１および連結フック４は、自重で傾き、主として外面接触部２１Ｄと内面接触部２２Ｕで接触する。
図５におけるキャップ１２のリング２外面とのリング接触部４１は、キャップ１２を形成する板材の端面であり、繰り返し使用によってリング２に衝撃を与えることとなり、リング２の外面接触部２１Ｄを局部摩耗させる。これに対して、図２におけるキャップ１２のリング２外面との接触部は折り曲げ部１５であり、接触面が大きく、局部摩耗が防止できる。
【００１６】
厳密に言えば、本考案の連結フック１を使用開始する時には、キャップ１２の折り曲げ部１５とリング２は点接触であるが、使用を重ねる間に折り曲げ部１５は若干摩耗し、リング２と面接触となる。この若干の摩耗は、柱上安全帯を使用するにあたって、強度等で全く問題のない範囲である。
【００１７】
図４は、柱上安全帯３の構成を説明する正面図である。この柱上安全帯３は大きく作業者が腰に装着するためのベルト３２１、バックル３２２、リング（角環）２およびリング（Ｄ環）３２３から成る胴ベルト部３２と、ロープ３３１、フック３３２および伸縮調節器３１から成るロープ部３３で構成される。このロープ部３３はロープの摩耗により取り替えが行われるが、胴ベルト部３２は各部品の摩耗が少ないため比較的長期間使用される。従って、リング２の耐用年数を、ベルト３２１の耐用年数より長くすることが要求される。
【００１８】
図６は、作業待機時における、柱上安全帯３の装着状態を説明する正面図である。このようにロープ３３を掴持する伸縮調節器３１の連結フック４をリング２に係止した時に、ロープ３３は作業者の足元方向ではなく、作業者の前方向を向く方が、ロープ３３で構築物を抱き込むという作業の効率が良くなる。また図５および図６において、作業時にはロープ３３に張力が加わるため連結フック４はリング２の内面２２のみと接触するが、作業待機時にはロープ３３の自重により、連結フック４はリング２の外面接触部２１Ｄと内面接触部２２Ｕで接触する。
【実施例２】
【００１９】
以下、本考案の実施例２について説明する。上記実施例１と説明の重複する部分については同一の符号を付して説明を省略する。上記実施例１に対し、実施例２は摩耗防止機能付き連結フック１のうち差異を有する構造のみについて説明する。
【００２０】
図３(ａ)および図３(ｂ)は、本考案の実施例２に係る摩耗防止機能付き連結フック１の構成を説明する正面図および側面図である。この摩耗防止機能付き連結フック１は、実施例１と同様に、板材を鉤状に折り曲げた鉤部１１に、常に鉤口を閉鎖する方向に付勢するバネ１３を有するキャップ１２、１２を軸止１４している。また、キャップ１２の一方の端面には、摩耗防止金具１６を添設している。
【００２１】
この実施例２において、キャップ１２のリング２とのリング接触部は摩耗防止金具１６であり、接触面が大きく、局部摩耗が防止でき、実施例１と同様の効果がある。
【符号の説明】
【００２２】
１  摩耗防止機能付き連結フック
１１  鉤部
１２  キャップ
１３  バネ
１４  軸
１５  折り曲げ部
１６  摩耗防止金具
２  リング（角環）
２１  外面部
２１Ｕ  外面接触部
２１Ｄ  外面接触部
２２  内面部
２２Ｕ  内面接触部
２２Ｄ  内面接触部
２３  連結フック移動規制片
３  柱上安全帯
３１  伸縮調節器
３１１  軸
３２  胴ベルト部
３２１  ベルト
３２２  バックル
３２３  リング（Ｄ環）
３３  ロープ部
３３１  ロープ
３３２  フック
４  連結フック
４１  リング接触部
【図１】
0003150775.tif 000003
【図２】
0003150775.tif 000004
【図３】
0003150775.tif 000005
【図４】
0003150775.tif 000006
【図５】
0003150775.tif 000007
【図６】
0003150775.tif 000008
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
鉤部１１と、係止対象物であるリング２よりの外れ止め装置であるキャップ１２とから成る連結フックであって、
前記キャップ１２の端面を折り曲げて、
リング２との接触面である係合部を２〜３倍に大きくしたことを特徴とする摩耗防止機能付き連結フック。
【請求項２】
上記キャップ１２の端面に摩耗防止金具１６を添設して、
係合部を２〜３倍に大きくしたことを特徴とする請求項１に記載の摩耗防止機能付き連結フック。
【手続補正２】
【補正対象書類名】明細書
【補正対象項目名】０００９
【補正方法】変更
【補正の内容】
【０００９】
上記課題を解決するため、本考案は、外れ止め装置であるキャップの端面を折り曲げる、あるいは摩耗防止金具を添設して、角環との接触面である係合部を２〜３倍に大きくした構造のものである。
【手続補正３】
【補正対象書類名】明細書
【補正対象項目名】００１６
【補正方法】変更
【補正の内容】
【００１６】
厳密に言えば、本考案の連結フック１を使用開始する時には、キャップ１２の折り曲げ部１５とリング２は点接触であるが、使用を重ねる間に折り曲げ部１５は若干摩耗し、リング２と面接触となり、図１乃至図３に示すように、本考案の摩耗した後の接触面の大きさは従来に比して２〜３倍となる。この若干の摩耗は、柱上安全帯を使用するにあたって、強度等で全く問題のない範囲である。